(57)【要約】【課題】ハウリングが生じにくい補聴器用マイク付イヤホンを提供する。【解決手段】補聴器用マイク付イヤホン１０は、人体の耳１１近傍に配置可能な筐体１２と、筐体１２に支持されたスピーカ１４と、筐体１２に設けられた腕部１５と、腕部１５に設けられたマイクロフォン１６と、スピーカ１４とマイクロフォン１６との間に介装されたブッシング１８と、腕部１５の基端部１５Ａおよびマイクロフォン１６の設置位置１５Ｂ間にから引き出されたケーブル２０とを備えている。【選択図】図３
2009278263.tif 000002
【特許請求の範囲】
【請求項１】
人体の耳近傍に配置可能な筐体と、
前記筐体に支持されて前記人体の耳孔に向かって音声を発生するスピーカと、
前記筐体に設けられて前記耳孔から離れる方向に延びる腕部と、
前記腕部に設けられて外方の音声を集音するマイクロフォンと、
前記腕部における基端部と、前記マイクロフォンの設置位置との間において、外部機器に接続可能に引き出されたケーブルとを備えることを特徴とする補聴器用マイク付イヤホン。
【請求項２】
前記筐体の内部において前記スピーカと前記マイクロフォンとの間に弾性特性を有するブッシングが介装されていることを特徴とする請求項１に記載した補聴器用マイク付イヤホン。
【請求項３】
前記ブッシングは中空構造を有することを特徴とする請求項２に記載した補聴器用マイク付イヤホン。
【請求項４】
前記筐体の内部において前記スピーカに接続されるスピーカ配線が前記マイクロフォンの側部を避けて配索されていることを特徴とする請求項１に記載した補聴器用マイク付イヤホン。
【請求項５】
前記腕部の内部において前記マイクロフォンの下部にマイクロフォン配線のみが配索されていることを特徴とする請求項１に記載した補聴器用マイク付イヤホン。
【請求項６】
前記腕部に設けられた凹部を有し、
前記ケーブルが前記凹部から引き出されていることを特徴とする請求項１に記載した補聴器用マイク付イヤホン。
【発明の詳細な説明】
【技術分野】
【０００１】
本発明は、人体の耳近傍に配置可能な筐体を備え、人体の耳孔に向かって音声を発生するスピーカや、外方の音声を集音するマイクロフォンを筐体に備えた補聴器用マイク付イヤホンに関するものである。
【背景技術】
【０００２】
補聴器用マイク付イヤホンの中には、スピーカおよびマイクロフォンを弾性体に組み込むことで、スピーカおよびマイクロフォン間に弾性体が介在されているものがある。
この補聴器用マイク付イヤホンは、弾性体を介してスピーカおよびマイクロフォンが同一筐体に収容されている（例えば、特許文献１参照）。
【特許文献１】特開平２−１３５８４５（第１図、第２頁上段右欄第１５行〜下段左欄第５行）
【発明の開示】
【発明が解決しようとする課題】
【０００３】
しかし、特許文献１の補聴器用マイク付イヤホンは、スピーカおよびマイクロフォンが同一筐体に収容されている。
同一筐体にマイクロフォンとスピーカとが設けられた補聴器用マイク付イヤホンにおいてはハウリングが生じやすい。
【０００４】
ハウリングが生じる原因としては、スピーカから発する音声をマイクロフォンが拾うことによる音響的原因と、筐体内においてスピーカから発する振動をマイクロフォンに伝播することにより機械的原因とがある。
【０００５】
音響的原因は、スピーカおよびマイクロフォンが同一筐体に設けられている関係上、両者が極めて近接していることにある。
一方、機械的原因は、筐体内において、筺体外装部品や弾性体を介在してスピーカの振動がマイクロフォンに伝播することにある。
【０００６】
本発明は、前述した要望を満たすためになされたもので、その目的は、ハウリングが生じにくい補聴器用マイク付イヤホンを提供することにある。
【課題を解決するための手段】
【０００７】
本発明の補聴器用マイク付イヤホンは、人体の耳近傍に配置可能な筐体と、前記筐体に支持されて前記人体の耳孔に向かって音声を発生するスピーカと、前記筐体に設けられて前記耳孔から離れる方向に延びる腕部と、前記腕部に設けられて外方の音声を集音するマイクロフォンと、前記腕部における基端部と、前記マイクロフォンの設置位置との間において、外部機器に接続可能に引き出されたケーブルとを備えることを特徴とする。
【０００８】
スピーカおよびマイクロフォンが腕部により離れて配置されているため、スピーカから発する音声をマイクロフォンが拾うことによる音響的原因のハウリングが減少する。
さらに、スピーカから発する振動がマイクロフォンに伝播しにくいため機械的原因のハウリングも減少させることができる。
【０００９】
また、腕部における基端部とマイクロフォンの設置位置との間からケーブルを引き出した。すなわち、ケーブルが腕部の途中から引き出されている。
よって、腕部の内部においてスピーカおよびマイクロフォンに向けてケーブルがそれぞれ個別に配索することが可能になる。
これにより、スピーカの振動等によりスピーカの配線（ケーブル）が筐体内面に接触しても、接触音がマイクロフォンに伝播することを防いで、機械的原因のハウリングを一層少なくできる。
【００１０】
また、本発明は、前記筐体の内部において前記スピーカと前記マイクロフォンとの間に弾性特性を有するブッシングが介装されていることを特徴とする。
スピーカとマイクロフォンとの間にブッシングを介装し、ブッシングは弾性特性を有することで、スピーカの振動を伝播しにくく、機械的原因のハウリングが生じにくい。
【００１１】
また、本発明は、前記ブッシングは中空構造を有することを特徴とする。
スピーカとマイクロフォンとの間に中空構造を有するブッシングを介装したため、中空構造を有していない、いわゆる無垢のブッシングと比較して、スピーカの振動をより伝播しにくく、機械的原因のハウリングが生じにくい。
ここで、中空構造とは、外周に幅広のスリットが形成された、いわゆる蛇腹状の構造や、スポンジのような海綿構造、独立気泡構造、連続気泡構造をいう。
【００１２】
さらに、本発明は、前記筐体の内部において前記スピーカに接続されるスピーカ配線が前記マイクロフォンの側部を避けて配索されていることを特徴とする。
【００１３】
ここで、筐体内においてスピーカ配線が、マイクロフォンの側部を経由してスピーカに接続された場合、スピーカの振動等によりスピーカ配線が筐体内壁やマイクロフォンの側部に接触して雑音源となることが考えられる。さらに、スピーカの振動がスピーカ配線を経てマイクロフォン側に伝播されて、ハウリングやノイズの基となることが考えられる。
【００１４】
そこで、スピーカに接続されるスピーカ配線を、マイクロフォンの側部を避けて配索した。
これにより、スピーカの振動等によりスピーカ配線が筐体内壁やマイクロフォンの側部に接触して雑音源となることを防止し、かつスピーカの振動がスピーカ配線を経てマイクロフォン側に伝播されてハウリングやノイズの基となることを防止できる。
【００１５】
また、本発明は、前記腕部の内部において前記マイクロフォンの下部にマイクロフォン配線のみが配索されていることを特徴とする。
【００１６】
ここで、例えば、マイクロフォンの下側にスピーカ配線が配索された場合、マイクロフォンの下側にマイクロフォン用とスピーカ用の配線が配索される。
このため、各々の配線を収容する空間を筐体に確保する必要があり、補聴器用マイク付イヤホンの小型化が難しくなる。
そこで、マイクロフォンの下部にマイクロフォン配線のみを配索することで、腕部におけるマイクロフォン部分を小型化した。
【００１７】
さらに、本発明は、前記腕部に設けられた凹部を有し、前記ケーブルが前記凹部から引き出されていることを特徴とする。
【００１８】
腕部に凹部を設け、凹部からケーブルを引き出すことで、引き出したケーブルの向きを凹部で規制できる。
これにより、引き出したケーブルが用途に応じて複数の使用形態に対応できるので、使い勝手を高めることができる。
加えて、凹部からケーブルを引き出すことで、引き出したケーブルが凹部で良好に保持され、使い勝手をさらに高めることができる。
【発明の効果】
【００１９】
本発明の補聴器用マイク付イヤホンによれば、スピーカおよびマイクロフォンを腕部により離して配置し、その間に弾性体を介在することで、ハウリングを生じにくくできるという効果を有する。さらに、専用の防振部材を使用することが無い為、コストを抑えることができる。
【発明を実施するための最良の形態】
【００２０】
以下、本発明の実施形態に係る補聴器用マイク付イヤホンについて、図面を参照して説明する。
図１〜図３に示すように、第１実施形態の補聴器用マイク付イヤホン１０は、人体の耳１１（図４参照）近傍に配置可能な筐体１２と、筐体１２に支持されたスピーカ１４と、筐体１２に設けられた腕部１５と、腕部１５に設けられたマイクロフォン１６と、スピーカ１４とマイクロフォン１６との間に介装されたブッシング１８と、腕部１５の基端部１５Ａおよびマイクロフォン１６の設置位置（先端部）１５Ｂ間から引き出されたマイクロフォン配線４６とを備えている。
【００２１】
筐体１２は、スピーカ１４を収容するケース本体２２と、ケース本体２２の上部に設けられてブッシング１８を収容するケースカバー２３とを備えている。
ケース本体２２は、平面視で略矩形状に形成され、ケース本体２２の上半分を構成する上ケース部２５と、平面視で略矩形状に形成され、ケース本体２２の下半分を構成する下ケース部２６とを備えている。
上ケース部２５および下ケース部２６を組み合わせることで、スピーカ１４を収容するスピーカ空間２７が形成されている。
【００２２】
下ケース部２６には、突部２８が形成されている。
この突部２８には、スピーカ空間２７に連通する音声案内開口２８Ａが形成されている。
音声案内開口２８Ａは、スピーカ１４で発生した音声を、人体の耳孔３０（図４参照）に向けて案内する開口である。
上ケース部２５には、上部２５Ａに開口部３２が形成され、上部２５Ａにケースカバー２３が設けられている。
上部２５Ａの開口部３２は、スピーカ空間２７に連通されている。
なお、突部２８には、図５に示すイヤーキャップ２９が装着されて使用される。
【００２３】
ケースカバー２３は、断面略コ字状に形成されることで、ブッシング空間３４が形成されている。ブッシング空間３４は、上部２５Ａの開口部３２を経てスピーカ空間２７ｂに連通されている。
このブッシング空間３４にブッシング１８が収容されている。
【００２４】
この上ケース部２５の上部２５Ａに腕部１５が設けられている。
腕部１５は、ケース本体２２の上部２５Ａに設けられた腕部本体３６と、腕部本体３６に設けられた腕部カバー３７とを備えている。
腕部本体３６は、ケース本体２２の上部２５Ａに基端部１５Ａが設けられ、耳孔３０（図４参照）から離れる方向に延びる部位である。
腕部本体３６が耳孔３０から離れる方向に延びることで、腕部１５は耳珠３１（図４参照）の上方に配置される。
【００２５】
この腕部本体３６は、中継部１５Ｃに配線空間３８を確保し、かつ、設置位置（先端部）１５Ｂにマイクロフォン空間３９を確保するために、断面略コ字状に形成されている。
配線空間３８は、マイクロフォン１６に接続するケーブル２０のマイクロフォン配線４６を配索する空間である。
マイクロフォン空間３９は、マイクロフォン１６を収容する空間である。
【００２６】
腕部カバー３７は、腕部本体３６に設けられて、配線空間３８やマイクロフォン空間３９を覆う部材である。
この腕部カバー３７は、先端部３７Ａにマイクロフォン開口部４１が形成され、基端部３７Ｂ近傍に案内凹部（凹部）４３が形成されている。
マイクロフォン開口部４１は、マイクロフォン空間３９に連通されている。
【００２７】
案内凹部４３は、ブッシング１８の一端部１８Ａから引き出されたケーブル２０を案内する凹部（溝状部）である。
この案内凹部４３は、壁部４３Ａで凹部が形成されている。壁部４３Ａは、腕部１５の長手方向に対して横断するように形成されている。
引き出されたケーブル２０を壁部４３Ａで案内することで、腕部１５の長手方向に対して横断する方向にケーブル２０を配置できる。
【００２８】
具体的には、引き出されたケーブル２０を壁部４３Ａに沿って下向きに沿わせることで、ケーブル２０を実線で示すように腕部１５の下方側に配置できる。
ケーブル２０を腕部１５の下方側に配置することで、図４に示すように、ケーブル２０を頬３２側に垂らすことができる。
【００２９】
一方、引き出されたケーブル２０を壁部４３Ａに沿って上向きに沿わせることで、ケーブル２０を想像線で示すように腕部１５の上方側に配置できる。
ケーブル２０を腕部１５の上方側に配置することで、耳１１（図４参照）の後側に回すことができる。
【００３０】
このように、案内凹部４３を備えることで、引き出したケーブル２０を頬３２側に垂らすことや、耳１１の後側に回すことができる。
これにより、引き出したケーブル２０を用途に応じて複数の使用形態に対応でき、使い勝手を高めることができる。
さらに、案内凹部４３を備えることで、引き出したケーブル２０が案内凹部４３で良好に保持され、使い勝手をさらに高めることができる。
【００３１】
ブッシング１８は、ケースカバー２３のブッシング空間３４に収容されることで、スピーカ１４とマイクロフォン１６との間に介装された弾性部材（弾性樹脂）である。
【００３２】
スピーカ１４は、ケース本体２２のスピーカ空間２７に収容されている。スピーカ１４で発生した音声は、音声案内開口２８Ａを経て人体の耳孔３０（図４参照）に向かって導かれる。
このスピーカ１４は、ケーブル２０のスピーカ配線４５に接続されている。
【００３３】
マイクロフォン１６は、腕部１５のマイクロフォン空間３９に収容されて、外方の音声をマイクロフォン開口部４１を経て集音する部材である。
このマイクロフォン１６は、ケーブル２０のマイクロフォン配線４６に接続されている。
【００３４】
ケーブル２０は、腕部１５における基端部１５Ａと、マイクロフォン１６の設置位置１５Ｂとの間において、外部機器（図示せず）に接続可能に引き出されたコードである。
外部機器は、例えば、使用者の胸ポケットなどに収容されて使用される。
このケーブル２０は、スピーカ１４に接続されたスピーカ配線４５と、マイクロフォン１６に接続されたマイクロフォン配線４６とを備え、各々の配線４５，４６がブッシング１８から外部にまとめて引き出されている。
【００３５】
スピーカ配線４５は、ブッシング１８の他端部１８Ｂから引き出されて、ケース本体２２の内部（すなわち、スピーカ空間２７ｂ）に配索されている。
一方、マイクロフォン配線４６は、ブッシング１８の他端部１８Ｂから引き出されて、腕部１５の内部（すなわち、配線空間３８）に配索されている。
【００３６】
スピーカ配線４５とマイクロフォン配線４６とは、ブッシング１８の他端部１８Ｂで二股に別れている。
すなわち、スピーカ配線４５およびマイクロフォン配線４６は、腕部１５の中央部（ブッシング１８の一端部１８Ａ）からケーブル２０としてまとめて挿入されて、ブッシング１８の他端部１８Ｂからスピーカ配線４５とマイクロフォン配線４６とに二股に別れて引き出されている。
【００３７】
スピーカ配線４５は、ケース本体２２の内部（すなわち、スピーカ空間２７）においてスピーカ１４に接続されている。
すなわち、スピーカ配線４５は、マイクロフォン１６の側部１６Ａを避けて配索されている。よって、スピーカ配線４５がマイクロフォン１６の側部１６Ａを経由してスピーカ１４に接続されることはない。
【００３８】
これにより、スピーカ１４の振動等によりスピーカ配線４５がケース本体２２の内壁２２Ａやマイクロフォン１６の側部１６Ａに接触して雑音源となることを防止できる。
さらに、スピーカ１４の振動がスピーカ配線４５を経てマイクロフォン１６側に伝播されてハウリングやノイズの基となることを防止できる。
【００３９】
また、腕部１５においてマイクロフォン１６の下部１６Ｂにマイクロフォン配線４６のみが配索されている。
このように、マイクロフォン１６の下部１６Ｂにマイクロフォン配線４６のみを配索することで、腕部１５におけるマイクロフォン部分（すなわち、設置位置（先端部）１５Ｂ）を小型化できる。
【００４０】
以上説明したように、補聴器用マイク付イヤホン１０によれば、スピーカ１４およびマイクロフォン１６が腕部１５により離れて配置されている。
これにより、スピーカ１４から発する音声をマイクロフォン１６が拾うことによる音響的原因のハウリングを抑えることができる。
さらに、スピーカ１４およびマイクロフォン１６を離すことで、スピーカ１４から発する振動がマイクロフォン１６に伝播しにくいため機械的原因のハウリングも抑えることができる。
【００４１】
また、腕部１５における基端部１５Ａとマイクロフォン１６の設置位置１５Ｂとの間からケーブル２０を引き出した。すなわち、ケーブル２０が腕部１５の途中から引き出されている。
よって、腕部１５の内部においてスピーカ１４およびマイクロフォン１６に向けてケーブル２０がそれぞれ個別に配索することが可能になる。
【００４２】
これにより、スピーカ１４の振動等によりスピーカ配線４５がケース本体２２の内面２２Ａに接触しても、接触音がマイクロフォン１６に伝播することを防いで、機械的原因のハウリングを一層良好に抑えることができる。
【００４３】
つぎに、第２〜第３実施形態を図５〜図６に基づいて説明する。なお、第２〜第３実施形態において第１実施形態の補聴器用マイク付イヤホン１０と同一類似部材のものについては同じ符号を付して説明を省略する。
【００４４】
図５に示す第２実施形態の補聴器用マイク付イヤホン５０は、ブッシング１８に代えてブッシング５２を用いたもので、その他の構成は第１実施形態の補聴器用マイク付イヤホン１０と同じである。
ブッシング５２は、腕部１５の基端部１５Ａ側の部位を構成する部材で、筐体１２のケースカバー２３に設けられている。
このブッシング５２は、中空構造を有する弾性部材（弾性樹脂）である。
【００４５】
ここで、中空構造とは、外周に幅広のスリット（図示せず）が形成された、いわゆる蛇腹状の構造や、スポンジのような海綿構造、独立気泡構造、連続気泡構造をいう。
ブッシング１８を中空構造とすることで、中空構造を有していない、いわゆる無垢のブッシングと比較して、スピーカの振動をより伝播しにくく、機械的原因のハウリングを生じにくくできる。
【００４６】
腕部１５の基端部１５Ａ側の部位を、弾性変形可能なブッシング５２で構成することで、腕部１５を屈曲させることが可能になり、使い勝手をさらに高めることができる。
さらに、第２実施形態の補聴器用マイク付イヤホン５０によれば、第１実施形態の補聴器用マイク付イヤホン１０と同様の効果を得ることができる。
【００４７】
図６に示す第３実施形態の補聴器用マイク付イヤホン６０は、ブッシング１８に代えてブッシング６２を用いたもので、その他の構成は第１実施形態の補聴器用マイク付イヤホン１０と同じである。
ブッシング６２は、筐体１２の一部を構成する部材で、筐体１２のケースカバー２３に設けられている。
このブッシング６２は、中空構造を有する弾性部材（弾性樹脂）である。
【００４８】
ここで、中空構造とは、外周に幅広のスリット（図示せず）が形成された、いわゆる蛇腹状の構造や、スポンジのような海綿構造、独立気泡構造、連続気泡構造をいう。
ブッシング１８を中空構造とすることで、中空構造を有していない、いわゆる無垢のブッシングと比較して、スピーカの振動をより伝播しにくく、機械的原因のハウリングを生じにくくできる。
【００４９】
ブッシング６２で筐体１２の一部を構成することで、第１実施形態のようにブッシング１８をケースカバー２３に収容する必要がないので、筐体１２の小型化が図れる。
さらに、第３実施形態の補聴器用マイク付イヤホン６０によれば、第１実施形態の補聴器用マイク付イヤホン１０と同様の効果を得ることができる。
【００５０】
なお、前記第１〜第３の実施形態で示した筐体１２、スピーカ１４、腕部１５、マイクロフォン１６、ブッシング１８，５２，６２などの形状は例示したものに限定するものではなく適宜変更が可能である。
【産業上の利用可能性】
【００５１】
本発明は、人体の耳近傍に配置可能な筐体を備え、人体の耳孔に向かって音声を発生するスピーカや、外方の音声を集音するマイクロフォンを筐体に備えた補聴器用マイク付イヤホンへの適用に好適である。
【図面の簡単な説明】
【００５２】
【図１】本発明に係る補聴器用マイク付イヤホンの第１実施形態を上方から見た状態を示す斜視図である。
【図２】第１実施形態の補聴器用マイク付イヤホンを下方から見た状態を示す斜視図である。
【図３】第１実施形態の補聴器用マイク付イヤホンを示す分解斜視図である。
【図４】第１実施形態の補聴器用マイク付イヤホンを耳孔に配置した状態を示す側面図である。
【図５】第２実施形態の補聴器用マイク付イヤホンを示す斜視図である。
【図６】第３実施形態の補聴器用マイク付イヤホンを示す斜視図である。
【符号の説明】
【００５３】
１０，５０，６０  補聴器用マイク付イヤホン
１２  筐体
１４  スピーカ
１５  腕部
１５Ａ  腕部の基端部
１５Ｂ  マイクロフォン１６の設置位置（先端部）
１６  マイクロフォン
１６Ａ  マイクロフォンの側部
１６Ｂ  マイクロフォンの下部
１８，５２，６２  ブッシング
２０  ケーブル
２７  スピーカ空間（筐体の内部）
３０  耳孔
４３  案内凹部（凹部）
４５  スピーカ配線
４６  マイクロフォン配線
【図１】
2009278263.tif 000003
【図２】
2009278263.tif 000004
【図３】
2009278263.tif 000005
【図４】
2009278263.tif 000006
【図５】
2009278263.tif 000007
【図６】
2009278263.tif 000008